(57)【特許請求の範囲】
【請求項１】
火災報知設備に用いられる中継器の取付構造において、
前記中継器は略直方体状であって、その前面部に下方に延設され先端部にフックを有する係止片を有すると共に、背面部に突部を有し、
取付金具は、前記中継器の一角部がその折曲部分の内角部に当接されるＬ字部を有し、該Ｌ字部の水平部に、前記係止片のフックが係止される係止穴を設けると共に、該Ｌ字部の垂直部に前記突部が挿入される挿入穴を設けたことを特徴とする中継器の取付構造。
【請求項２】
前記中継器の底面部に突起を設けると共に、前記取付金具のＬ字部に前記突起が挿入される突起挿入穴を設け、前記突起と前記突起挿入穴とで外力により前記中継器が前記取付金具のＬ字部から外れるのを防止したことを特徴とする請求項１記載の中継器の取付構造。
【請求項３】
前記取付金具は、前記中継器が収納される取付ボックスの開口部を覆う平面板に前記Ｌ字部の折曲部分の外角部が固着されてなることを特徴とする請求項１又は請求項２記載の中継器の取付構造。
【請求項４】
前記取付金具に、前記Ｌ字部の垂直部を下方に延設して先端部に取付片を設けると共に、前記水平部の端部を下方に延設して先端に取付片を設け、前記各取付片に、それぞれ前記中継器が収納される取付ボックスの取付用穴と前記取付ボックスの開口全面を覆うプレートの取付用穴を別々に設けると共に、前記取付金具の水平部及び前記中継器の底面部に、前記中継器内に設けられる動作確認灯を外部から確認可能な確認灯用穴をそれぞれ設けたことを特徴とする請求項１乃至請求項３の何れかに記載の中継器の取付構造。
【発明の詳細な説明】
【０００１】
【発明の属する技術分野】
本発明は、火災報知設備に用いられる中継器の取付金具への取付構造に関するものである。
【０００２】
【従来の技術】
火災報知設備は、通常、天井などに取り付けられて火災の発生を監視する火災感知器、火災が発生した際に火災感知器からの火災信号を受信して火災の発生を報知する火災受信機等を備えている。火災報知設備には、更に中継器が設けられており、この中継器は、受信機と、火災感知器等の端末機器との間に設置され、相互間の信号のやりとりを中継するものである。この種の中継器は、ネジにより取付金具に取付固定され、それが壁面に埋め込み固定された取付ボックス内に取り付けられて設置されるようになっている。
【０００３】
【発明が解決しようとする課題】
上記従来技術においては、中継器と取付金具とをネジにより取付固定しているため取付作業が面倒であった。
【０００４】
本発明は上記の課題を解決すべくなされたもので、中継器の取付金具への取付けが容易な中継器の取付構造を得ることを目的とする。
【０００５】
【課題を解決するための手段】
(１)本発明に係る中継器の取付構造は、火災報知設備に用いられる中継器の取付構造において、中継器は略直方体状であって、その前面部に下方に延設され先端部にフックを有する係止片を有すると共に、背面部に突部を有し、取付金具は、中継器の一角部がその折曲部分の内角部に当接されるＬ字部を有し、Ｌ字部の水平部に、係止片のフックが係止される係止穴を設けると共に、Ｌ字部の垂直部に突部が挿入される挿入穴を設けたものである。
【０００６】
(２)本発明に係る中継器の取付構造は、上記（１）において、中継器の底面部に突起を設けると共に、取付金具のＬ字部に突起が挿入される突起挿入穴を設け、突起と突起挿入穴とで外力により中継器が取付金具のＬ字部から外れるのを防止したものである。
【０００７】
(３)本発明に係る中継器の取付構造は、上記（１）又は（２）において、取付金具を、中継器が収納される取付ボックスの開口部を覆う平面板にＬ字部の折曲部分の外角部を固着して構成したものである。
【０００８】
(４)本発明に係る中継器の取付構造は、上記（１）〜（３）の何れかにおいて、取付金具を、Ｌ字部の垂直部を下方に延設して先端部に取付片を設けると共に、水平部の端部を下方に延設して先端に取付片を設け、各取付片に、それぞれ中継器が収納される取付ボックスの取付用穴と取付ボックスの開口全面を覆うプレートの取付用穴を別々に設けると共に、取付金具の水平部及び中継器の底面部に、中継器内に設けられる動作確認灯を外部から確認可能な確認灯用穴をそれぞれ設けたものである。
【０００９】
【発明の実施の形態】
図１は本発明の一実施の形態の中継器の取付構造の説明図、図２は本発明の一実施の形態の中継器の概略図で、（ａ）は正面図、（ｂ）は右側面図、（ｃ）は背面図、（ｄ）は（ｂ）の底面図である。図３は本発明の一実施の形態の取付金具の概略図で、（ａ）は平面図、（ｂ）は左側面図、（ｃ）は正面図である。
まず、図１の説明に先立って、図２及び図３に基づき中継器、取付金具のそれぞれの構造について説明する。
図２において、１は中継器で、略直方体形状を有する中継器本体３の前面部３ａには、下方に向かって延設し、先端にフック５ａが形成された略Ｌ字状の係止片５が固定されており、その上部には後述のプリント基板１５に設けられる端子台１７への電線接続用の切欠き部７が形成されている。中継器本体３の背面部３ｂの左右方向の両端部には突部９が設けられ、底面部３ｃの正面側端部の両端部には突起１１が設けられている。突起１１は、その正面側（図２（ｂ）において左側）に、下方に向かって傾斜する傾斜部１１ａが設けられている。また、中継器本体３の底面部３ｃには後述の複数の動作確認灯１９を外部から確認可能な本体側確認灯用穴１３が動作確認灯１９数に合わせて複数（図２においては２つ）が設けられている。
【００１０】
このように形成された中継器本体３内には、プリント基板１５が収納されている（後述の図５参照）。プリント基板１５には、その前面側に、図示しない端末機器と接続された電源兼信号線である電線を接続する端子台１７が設けられ、該端子台１７の後方側には、施工、保守作業時の中継器１の動作確認用等の例えばＬＥＤで構成される動作確認灯１９が複数（図２においては２つ）が設けられている。
【００１１】
図３において、２１は中継器が取り付けられる取付金具で、中継器本体３の底面部３ｃに当接する水平部２３ａと中継器の背面部３ｂに当接する垂直部２３ｂとからなるＬ字部２３から構成されている。水平部２３ａには係止片５のフック５ａが挿通された状態で係止される係止穴２５と、突起１１が挿入される突起挿入穴２７とが設けられ、垂直部２３ｂには中継器１の突部９が挿入される挿入穴２９が設けられている。
【００１２】
ここで、図１に戻り、中継器の取付金具２１への取付方法について説明する。まず（ａ）に示すように、中継器１の中継器本体３を取付金具２１に対して斜めに保ちながら、突部９を挿入穴２９に挿入する。続いて（ｂ）に示すように係止片５を中継器本体３側に撓ませ、その状態で、挿入穴２９に挿入した突部９を支点として中継器１を取付金具２１方向に回転させる。そして、（ｃ）に示すように中継器本体３の一角部３ｅを取付金具２１の折曲部分の内角部に当接させて中継器本体３の背面部３ｂ及び底面部３ｃをそれぞれ取付金具２１の垂直部２３ｂ及び水平部２３ａに当接させる。これにより、中継器本体３の底面部３ｃの突起１１が取付金具２１の突起挿入穴２７に挿入され、また、係止片５のフック５ａが係止穴２５を挿通した状態となり、ここで係止片５の撓みを解除することにより係止片５が係止穴２５に係止される。これにより、中継器１が取付金具２１に固定される。
【００１３】
また、中継器を取付金具２１から取り外す際には、係止片５を中継器本体３側に撓ませ、フック５ａと係止穴２５との係止状態を解除し、その状態で、挿入穴２９に挿入された突部９を支点として中継器本体３を取付時とは逆方向に回転させる。これにより、中継器１を取付金具２１から取り外すことができる。
【００１４】
このように、中継器本体３の係止片５を中継器本体３側に撓ませた状態で、取付金具２１の挿入穴２９に挿入した中継器本体３の突部９を支点として中継器本体３を係止方向（取付金具２１方向）に回転させ、係止片５を係止穴２５に係止させることで中継器１を取付金具２１に取り付けるようにしたので、中継器１を取付金具２１に対してワンタッチで着脱することが可能となる。
【００１５】
さらに、取付金具２１のＬ字部２３の折曲部分の内角部に、中継器本体３の一角部３ｅを当接させるようにしたので、中継器１と取付金具２１とを密接な一体構造とすることができ、また、この取付構造によれば取付金具２１から突出するのが係止片５のフック５ａのみであるため（なお、本実施の形態では、突部９及び突起１１も取付金具２１から突出しているが、これらについては必ずしも突出させなくてもよい）、後述する取付ボックス３１内へ中継器１を取り付けるに際し、省スペース化が図られると共に、取付自由度が増すという利点を有する。
【００１６】
以上の説明により中継器と取付金具２１のそれぞれの構造及び互いの取付方法が明らかになったところで、以下では実際に中継器１を、壁面に埋設された取付ボックス内に装着する場合の具体的一例を説明する。
【００１７】
図４は実際に取付ボックスに装着される取付金具の具体的一例を示す概略図で、（ａ）は（ｂ）の左側面図、（ｂ）は平面図、（ｃ）は（ｂ）の右側面図、（ｄ）は正面図である。図５は取付ボックスに対する中継器の取付構造の説明図で、（ａ）は正面図、（ｂ）は（ａ）の断面図である。なお、中継器の構造は図１と同様である。
【００１８】
なお、ここで、図４の取付金具の説明に先だって中継器の設置場所の構成について図５に基づいて説明する。
３１は一面が開口された取付ボックスで、互いに対向する側壁の開口側には、それぞれＬ字状部材３５が鍔状に固着されており、取付ボックス３１は、Ｌ字状部材３５の水平部３５ａと共に壁面Ｗの開口に押入され、Ｌ字状部材３５の垂直部３５ｂが壁面Ｗに当接した状態で壁面Ｗに埋設されている。また、取付ボックス３１の内部には、底面に設けた挿通穴から電線３３が延びた状態となっている。
【００１９】
図４に基づいて、取付金具４１について説明する。
取付金具４１は図２と同様のＬ字部２３、すなわち係止穴２５，突起挿入穴２７，挿入穴２９が形成されたＬ字部２３を有し、垂直部２３ｂを左方（図２において下方）に延設して先端に取付片４１ａを設け、水平部２３ａの端部を左方（図２において下方）に延設して先端に取付片４１ｂを設けた構成となっている。取付片４１ａ、４１ｂの外方側には、取付ボックス取付用ネジ穴４３が設けられ、取付片４１ａ、４１ｂの内方側にはプレート取付用ネジ穴４５が設けられている。また、Ｌ字部２３の水平部２３ａには、中継器本体３の底面部３ｃに設けた本体側確認灯用穴１３に対向する金具側確認灯用穴４６が設けられている。
【００２０】
ここで、図５の説明に戻る。
４７は、取付ボックス３１内への塵埃、水滴などの侵入を防止するためのプレートで、取付ボックス３１の開口全体を覆う平面部４７ａと、平面部４７ａの周縁から壁面Ｗ側に回り込む湾曲部４７ｂとから構成されている。平面部４７ａにはプレート取付用ネジ４９の頭部が係止される凹部５１が形成されている。
【００２１】
次に、図５に基づいて、中継器を設置場所に設置する際の取付方法について説明する。
まず中継器１を取付金具４１に取り付けるが、この取付方法は、上述の取付金具２１のＬ字部２３に装着する場合と同様で、中継器１の中継器本体３を取付金具４１のＬ字部２３に対して斜めに保ちながら、突部９を挿入穴２９に挿入し、続いて係止片５を中継器本体３側に撓ませ、その状態で、挿入穴２９に挿入した突部９を支点として中継器１を取付金具４１方向に回転させる。そして、中継器本体３の一角部３ｅを取付金具４１の折曲部分の内角部に当接させ、中継器本体３の背面部３ｂ及び底面部３ｃをそれぞれ取付金具４１の垂直部２３ｂ及び水平部２３ａに当接させる。これにより、底面部３ｃの突起１１が取付金具４１の突起挿入穴２７に挿入され、また、係止片５のフック５ａが係止穴２５を挿通した状態となり、ここで係止片５の撓みを解除することにより係止片５が係止穴２５に係止される。これにより、中継器１が取付金具４１に固定される。なお、この係止状態において、突起１１は、図５の（ａ）に示されるようにその傾斜部１１ａの基端側が突起挿入穴２７の内周部下面に当接した状態となっている。
【００２２】
次に、取付ボックス３１内に延びた電線３３を中継器１の端子台１７に接続し、取付金具４１の取付片４１ａ，４１ｂの外方側をＬ字状部材３５の上面に当接させ、左方から取付ボックス取付用ネジ５３の軸部を取付金具４１の取付ボックス取付用ネジ穴４３に螺合させつつＬ字状部材３５の垂直部３５ｂに設けた軸孔に挿通させて取付金具４１と取付ボックス３１を壁面Ｗに固定する。ここで、中継器１の端子台１７に埃がたまるのを防ぐため、中継器１は端子台１７が下（図２に示す切欠き部７が下）になるように取付ボックス３１に取り付けられる。そして、取付ボックス３１の開口全体をプレート４７で覆うと共にプレート４７の湾曲部４７ｂの先端面を壁面Ｗに当接させた状態で凹部５１の軸孔にプレート取付用ネジ４９の先端部を挿入し、頭部が凹部５１に係止されるまでプレート取付用ネジ４９を回して取付金具４１のプレート取付用ネジ穴４５に螺合させる。これによりプレート４７が取付金具４１に取付固定され、中継器１の取付けが完了する。
【００２３】
このように、本実施の形態によれば、取付金具４１の挿入穴２９に挿入した中継器本体３の突部９を支点として中継器本体３を係止方向（取付金具４１方向）に回転させ、中継器本体３側に撓ませた係止片５のフック５ａを係止穴２５に係止させることで中継器１を取付金具４１に取り付けるようにしたので、中継器１を取付金具４１に対してワンタッチで着脱することが可能となり、両者をネジで固定していた従来の方法に比べて着脱作業が極めて容易となる。
【００２４】
さらに、中継器本体３の一角部３ｅを取付金具４１のＬ字部２３の折曲部分の内角部に当接させるようにしたので、中継器１と取付金具４１とが密接な一体構造となり、取付金具４１から１つの係止片５のフック５ａのみが突出することなる（なお、本実施の形態では、突部９及び突起１１も取付金具４１から突出しているが、これらについては必ずしも突出させなくてもよい）。これにより、中継器１を取付ボックス３１内等へ取り付けるに際し、省スペース化が図られるとともに、取付自由度が増すため、取付ボックス３１内等の空間を有効活用できる。次の図はその空間の有効活用の具体的一例を示したものである。
【００２５】
図６は取付ボックス内の空間を有効活用した取付例を示す図である。
この場合においては、図６に示すように図２に示した取付金具２１のＬ字部２３の折曲部分の外角部を、平面板状の取付板５５ａに固着して取付金具５５を構成し、この取付金具５５を用いて中継器１及び取付金具５５のＬ字部２３を取付ボックス３１に対して斜めに取り付けるようにしたものである。これにより、例えば中継器１の全長よりも小さい取付ボックス３１（なお、図６においては、中継器１の全長よりも大きいものが図示されている）に中継器１を取り付けるに際し、空間的に効率良く中継器１を収納することができ、取付ボックス３１内の空間を有効活用することができる。
【００２６】
また、プレート４７の湾曲部４７ｂの先端面を壁面Ｗに当接させた状態でプレート４７を装着するので、取付ボックス３１内への塵埃、水滴等の侵入を確実に阻止することができる。
【００２７】
また、中継器本体３の底面部３ｃに突起１１を設け、その傾斜部１１ａの基端側が突起挿入穴２７の内周部下面に当接するようにしたので、突起１１は、中継器１が正面方向（図５において、矢印方向）に電線３３等により引っ張られた場合に、フック５ａが撓んで突部９が取付金具４１から外れるのを防ぐストッパとして働き、中継器１と取付金具４１との固定がより確実になる。
【００２８】
ところで、従来は、中継器の動作確認を行うに際し、中継器内に設けた動作確認灯を確認するためには、まず取付ボックスの前面に取付固定されたプレートを外し、更に中継器を取付金具から取り外さなければその確認が行えない構造となっていたが、本実施の形態によれば、取付金具４１（５５）に取付ボックス取付用ネジ穴４３とプレート取付用ネジ穴４５とを別々に設けて中継器１を取付ボックス３１に取り付けたままプレート４７を取り外すことができるようにし、更に中継器本体３及び取付金具４１（５５）にそれぞれ本体側確認灯用穴１３及び金具側確認灯用穴４６を設けたので、単にプレート４７を取り外すだけで、施工、保守作業時において、本体側確認灯用穴１３及び金具側確認灯用穴４６から中継器１の動作確認灯１９を点検して動作確認を行うことができる。
【００２９】
【発明の効果】
以上詳細したように、本発明によれば、次のような効果を得ることができる。（１）中継器本体の係止片を中継器本体側に撓ませた状態で、取付金具の挿入穴に挿入した中継器本体の突部を支点として係止方向（中継器本体方向）又は係止解除方向（中継器本体から離れる方向）に回転して係止片のフックと係止穴とを係止させるか又は係止を解除することにより中継器と取付金具とを着脱するようにしたので、中継器を取付金具に対してワンタッチで着脱することができ、その着脱作業を極めて容易とすることができる。さらに、取付金具のＬ字部の折曲部分の内角部に、中継器本体の一角部を当接させるようにしたので、中継器と取付金具とを密接な一体構造とすることができ、また、この取付構造によれば取付金具から突出するのが係止片のフックのみであるため、取付ボックス内へ中継器を取り付けるに際し、省スペース化が図られると共に、取付自由度が増す。
【００３０】
（２）取付金具のＬ字部に中継器の底面部に設けた突起が挿入される突起挿入穴を設け、突起と突起挿入穴とで外力による係止片の撓みを防止するようにしたので、中継器が取付金具のＬ字部から外れるのを防止することができ、よって、中継器と取付金具との固定をより確実なものとすることができる。
【００３１】
（３）取付金具を、中継器が収納される取付ボックスの開口部を覆う平面板にＬ字部の折曲部分の外角部が固着された構成としたので、取付金具のＬ字部が取付ボックスに対して斜めに取り付けられ、すなわちこのＬ字部に中継器が取り付けられることを鑑みると、中継器が取付ボックスに対して斜めに取り付けられるため、中継器の全長よりも小さい取付ボックスに中継器を取り付ける場合に、空間的に効率良く中継器を収納することができ、取付ボックス内の空間を有効活用することができる。
【００３２】
（４）取付金具に、取付ボックスの取付用穴とプレートの取付用穴とを別々に設け、中継器を取付ボックスに取り付けたままプレートを取り外すことができるようにしたので、単にプレートを取り外すだけで、確認灯用穴から中継器の動作確認灯を点検して動作確認を行うことができる。
【図面の簡単な説明】
【図１】本発明の一実施の形態の中継器の取付構造の説明図である。
【図２】本発明の一実施の形態の中継器の概略図で、（ａ）は正面図、（ｂ）は右側面図、（ｃ）は背面図、（ｄ）は（ｂ）の底面図である。
【図３】本発明の一実施の形態の取付金具の概略図で、（ａ）は平面図、（ｂ）は左側面図、（ｃ）は正面図である。
【図４】図１の取付金具のＬ字部を有し、実際に取付ボックス３１に装着される取付金具の具体的一例を示す概略図で、（ａ）は（ｂ）の左側面図、（ｂ）は平面図、（ｃ）は（ｂ）の右側面図、（ｄ）は正面図である。
【図５】図４の取付金具による取付ボックスに対する中継器の取付構造の説明図で、（ａ）は正面図、（ｂ）は（ａ）の断面図である。
【図６】取付ボックス内の空間を有効活用した中継器の取付例を示す図である。
【符号の説明】
１  中継器
３  中継器本体
３ａ  前面部
３ｂ  背面部
３ｃ  底面部
５  係止片
５ａ  フック
９  突部
１１  突起
１３  本体側確認灯用穴
１９  動作確認灯
２１，４１，５５  取付金具
２３  Ｌ字部
２３ａ  水平部
２３ｂ  垂直部
２５  係止穴
２７  突起挿入穴
２９  挿入穴
３１  取付ボックス
４１ａ，４１ｂ  取付片
４３  取付ボックス取付用ネジ穴
４５  プレート取付用ネジ穴
４６  金具側確認灯用穴
５５ａ  取付板（平面板）
【図１】
0003861233.tif 000002
【図２】
0003861233.tif 000003
【図３】
0003861233.tif 000004
【図４】
0003861233.tif 000005
【図５】
0003861233.tif 000006
【図６】
0003861233.tif 000007